(57)【要約】
【課題】誰もが簡単にサンドイッチを容器に収納することができ、また、容器を使用しないときはこれを平面的に折り畳んで容器の保管スペースを必要最小限にすることのできるサンドイッチ用の容器を提供する。
【解決手段】本考案は、正面体２と、折り目２０を介して正面体２の一端から延設した底面体３と、折り目３０を介して底面体３の一端から延設した背面体４と、正面体２・底面体３それぞれの側縁に折り目４０・５０を介して連設した両側面体５Ａ・５Ｂとから構成され、正面体２・底面体３・両側面体５Ａ・５Ｂにより形成された略三角形状の空間にサンドイッチＳを収納し、この空間を背面体４により閉じるサンドイッチ用の容器１であり、両側面体５Ａ・５Ｂは、略中央部に折り目６０を備え、正面体２と底面体３・背面体４とが重なるように折り畳み可能である。
【選択図】図１
0003101409.tif 000002
【実用新案登録請求の範囲】
【請求項１】
正面体と、折り目を介して正面体の一端から延設した底面体と、折り目を介して底面体の一端から延設した背面体と、正面体・底面体それぞれの側縁に折り目を介して連設した両側面体とから構成され、正面体・底面体・両側面体により形成された略三角形状の空間にサンドイッチを収納し、この空間を背面体により閉じるサンドイッチ用の容器であり、両側面体は、略中央部に折り目を備え、正面体と底面体・背面体とが重なるように折り畳み可能であることを特徴とするサンドイッチ用の容器。
【請求項２】
正面体・底面体・両側面体により形成された空間を背面体により閉じた状態において、正面体・背面体の上方に取っ手を備えている請求項１に記載のサンドイッチ用の容器。
【請求項３】
取っ手は、正面体・背面体の上方に略コ字形の掛架片をそれぞれ設け、両掛架片が当接して形成されている請求項２に記載のサンドイッチ用の容器。
【請求項４】
正面体又は背面体の上方に差し込み片を設ける一方、背面体又は正面体の上方に切り込みを設け、差し込み片を切り込みに差し込んで正面体と背面体を接合させた請求項１乃至３のいずれかに記載のサンドイッチ用の容器。
【請求項５】
正面体には、窓部が設けられている請求項１乃至４のいずれかに記載のサンドイッチ用の容器。
【考案の詳細な説明】
【技術分野】
【０００１】
本考案は、略三角形状のサンドイッチを収納するための、紙製又は合成樹脂製等のサンドイッチ用の容器に関するものである。
【背景技術】
【０００２】
従来より、サンドイッチ等の食品を収納する容器として、種々の構造のものが提案されている。例えば、本体上半部及び本体下半部より成る容器本体と、平坦仕切部の一端部に摘み部を形成した仕切部材とから構成され、各食品材料間に前記仕切部材を挟んだ状態で容器本体に食品を収納するものがある（特許文献１参照）。
【特許文献１】実開平７−８３１号公報
【考案の開示】
【考案が解決しようとする課題】
【０００３】
しかしながら、上述した従来の容器は、容器本体が本体上半部と本体下半部の別部材により構成され、更に、仕切部材を備えているため、食品の収納作業が非常に面倒であった。
【０００４】
すなわち、従来の容器を用いて食品を収納するときは、まず、本体下半部を置き、その中に食品を入れ、必要に応じて仕切部材を配してから、本体上半部を本体下半部の上に載せ、本体下半部と本体上半部を固定しなければならず、食品の収納作業に手間と時間を要していたのである。
【０００５】
また、従来の容器は、所定の収容空間を備えた立体的な本体上半部と本体下半部により構成されているため、容器を使用しないときであってもそれ自体で嵩張ってしまい、必要以上の保管スペースが必要となる弊害が生じていた。
【０００６】
加えて、本体上半部・本体下半部・仕切部材という３点で構成されるため、容器の製造コストが高いものになっていた。
【０００７】
そこで、本考案は叙上のような従来存した諸事情に鑑み創案されたもので、誰もが簡単にサンドイッチを収納することができ、また、容器を使用しないときはこれを平面的に折り畳んで容器の保管スペースを必要最小限のものとし、しかも、大量生産に適して製造コストを低く抑えることのできるサンドイッチ用の容器を提供することを目的とする。
【課題を解決するための手段】
【０００８】
上述した目的を達成するため、本考案は、正面体と、折り目を介して正面体の一端から延設した底面体と、折り目を介して底面体の一端から延設した背面体と、正面体・底面体それぞれの側縁に折り目を介して連設した両側面体とから構成され、正面体・底面体・両側面体により形成された略三角形状の空間にサンドイッチを収納し、この空間を背面体により閉じるサンドイッチ用の容器であり、両側面体は、略中央部に折り目を備え、正面体と底面体・背面体とが重なるように折り畳み可能であることで、上述した課題を解決した。
【０００９】
また、正面体・底面体・両側面体により形成された空間を背面体により閉じた状態において、正面体・背面体の上方に取っ手を備えていることで、同じく上述した課題を解決した。
【００１０】
さらに、取っ手は、正面体・背面体の上方に略コ字形の掛架片をそれぞれ設け、両掛架片が当接して形成されていることで、同じく上述した課題を解決した。
【００１１】
また、正面体又は背面体の上方に差し込み片を設ける一方、背面体又は正面体の上方に切り込みを設け、差し込み片を切り込みに差し込んで正面体と背面体を接合させたことで、同じく上述した課題を解決した。
【００１２】
加えて、正面体には、窓部が設けられていることで、同じく上述した課題を解決した。
【考案の効果】
【００１３】
本考案は、正面体２と、折り目２０を介して正面体２の一端から延設した底面体３と、折り目３０を介して底面体３の一端から延設した背面体４と、正面体２・底面体３それぞれの側縁に折り目４０・５０を介して連設した両側面体５Ａ・５Ｂとから構成され、正面体２・底面体３・両側面体５Ａ・５Ｂにより形成された略三角形状の空間にサンドイッチＳを収納し、この空間を背面体４により閉じるサンドイッチ用の容器１であり、両側面体５Ａ・５Ｂは、略中央部に折り目６０を備えているため、容器１を使用しないときは、正面体２と底面体３・背面体４とが重なるように折り畳み可能である。その結果、容器１を極めて薄い状態にして、容器１の保管スペースを必要最小限にすることができる。
【００１４】
一方、容器１を使用する際は、両側面体５Ａ・５Ｂの折り目６０を手指で内側に押し込むだけで、両側面体５Ａ・５Ｂを直線状に伸ばし、正面体２と底面体３と両側面体５Ａ・５Ｂとにより、略三角形状の空間を形成するように容器１をワンタッチで立体的に組み上げることができる。そして、空間の開放部からサンドイッチＳを収納し、平面体４により閉じることで、誰もが簡単にサンドイッチＳを容器１内に収納することができる。
【００１５】
また、正面体２・底面体３・両側面体５Ａ・５Ｂにより形成された空間を背面体４により閉じた状態において、正面体２・背面体４の上方に取っ手７を備えているため、容器１の取っ手７を手で持ったときは、サンドイッチＳをつぶすことなく、容器１を手軽に持ち運ぶことができる。
【００１６】
この取っ手７は、正面体２・背面体４の上方に略コ字形の掛架片８・９をそれぞれ設け、両掛架片８・９が当接して形成されているので、例えば、容器１の取っ手７に、陳列棚等に設けられている棒部材１４を貫通させたときには、容器１を所定の陳列棚等に簡単に吊り下げて展示できる。
【００１７】
さらに、正面体２又は背面体４の上方に差し込み片１０を設ける一方、背面体４又は正面体２の上方に切り込み１１を設けているため、差し込み片１０を切り込み１１に差し込むことで、正面体２と背面体４の接合状態を確実に維持できる。その結果、容器１に収納しているサンドイッチＳが、不意に容器１の外へ飛び出してしまうような事態の発生を確実に阻止している。
【００１８】
また、正面体２には、窓部１３が設けられているため、容器１内にサンドイッチＳを収納しているかどうかを、誰もが簡単に確認できる。
【考案を実施するための最良の形態】
【００１９】
以下に、図面を参照して本考案を実施するための最良の形態を説明する。本考案に係る容器１は、図１・図４に示すように、略三角形状のサンドイッチＳを収納するものである。この容器１は、例えば、紙又は合成樹脂等を素材として形成されている。
【００２０】
容器１は、図１・図５・図６に示すように、方形状の正面体２と、折り目２０を介して正面体２の一端から延設した方形状の底面体３と、折り目３０を介して底面体３の一端から延設した方形状の背面体４と、正面体２・底面体３それぞれの側縁に折り目４０・５０を介して連設した両側面体５Ａ・５Ｂとから構成されている。これらの正面体２・底面体３・両側面体５Ａ・５Ｂは、図１に示すように、略三角形状のサンドイッチＳを収納するために、サンドイッチＳの外形よりも若干大きな略三角形状の空間を形成している。そして、正面体２・底面体３・両側面体５Ａ・５Ｂにより形成された空間に略三角形状のサンドイッチＳを収納した後は、図３に示すように、この空間を背面体４により閉じる構造となっている。
【００２１】
背面体４により容器１の空間を閉じた状態において、容器１は、図３に示すように、立体的な直角三角形状となる。すなわち、正面体２は、直角三角形の斜面を形成し、底面体３は、直角三角形における直角部分を含む一面を形成し、背面体４は、直角部分を含む他の一面を形成することとなる。また、両側面体５Ａ・５Ｂは、直角三角形における左右の側面を形成している。
【００２２】
そして、正面体２と底面体３の接する位置に介在する折り目２０、底面体３と背面体４の接する位置に介在する折り目３０は、それぞれ山折り可能である。また、正面体２・底面体３の側縁と両側面体５Ａ・５Ｂの接する位置に介在する折り目４０・５０も、山折り可能である。
【００２３】
この他、両側面体５Ａ・５Ｂは、略中央部に独自の折り目６０を備え、図５・図６に示すように、正面体２と底面体３・背面体４とが同一平面上に重なるように折り畳み可能である。
【００２４】
すなわち、直角三角形の左右の側面を形成している両側面体５Ａ・５Ｂの略中央部に形成されている折り目６０は、正面体２と底面体３の間の折り目２０の位置に相当する、両側面体５Ａ・５Ｂの直角三角形の鋭角頂点位置から、この鋭角頂点に対向する直角三角形の一辺の中央に向けて、直線状に設けられている。また、両側面体５Ａ・５Ｂは、図１・図３に示すように、折り目７０を介して当接片６を備えている。従って、図１に示すように、両側面体５Ａ・５Ｂの折り目６０が延長するように、当接片６にも折り目６０が設けられている。この両側面体５Ａ・５Ｂと当接片６の折り目６０を山折りすることで、図５に示すように、正面体２が底面体３と背面体４に重なるように折り畳まれるのである。また、当接片６は、背面体４と当接したときに内側に折曲可能となっている。
【００２５】
尚、これらの折り目６０を、所定の長さの切り込みを所定の間隔を開けて連続して設けたミシン目状に形成しても良い。また、これらの折り目６０を谷折りすることで、正面体２を底面体３と背面体４に重ねても良い。
【００２６】
この他、本考案に係る容器１は、図３に示すように、正面体２・底面体３・両側面体５Ａ・５Ｂにより形成された空間を背面体４により閉じた状態において、正面体２・背面体３の上方に取っ手７を備えている。この取っ手７は、正面体２・背面体４の上方に略コ字形の掛架片８・９をそれぞれ設け、両掛架片８・９が当接して形成されている。
【００２７】
また、容器１は、背面体４の上方に舌片状の差し込み片１０を設ける一方、正面体２の上方に横長の切り込み１１を設け、差し込み片１０を切り込み１１に差し込んで、正面体２と背面体４の接合状態・両掛架片８・９の当接状態を確実に維持している。この切り込み１１は、図１に示すように、正面体２の掛架片８の内側に、折曲可能な切り抜き片１２を配し、この切り抜き片１２の下端部分に設けられている。
【００２８】
さらに、正面体２には、収納しているサンドイッチＳが外から見えるように、開口した窓部１３が設けられている。この窓部１３には、例えば、合成樹脂製の透明フィルム材を貼着し、容器１内に異物やゴミ等が入らないようにしても良い。
【００２９】
本考案に係る容器１を使用しないときは、図５・図６に示すように、正面体２を、水平状態となっている底面体３と背面体４に重ね合わせ、容器１全体を平面的に折り畳んでおく。このとき、両側面体５Ａ・５Ｂも、折り目６０を山折りすることで、自身の内側面が重なるように折り畳まれている。
【００３０】
そして、容器１を使用するときは、図５に示す両側面体５Ａ・５Ｂの折り目６０を手指で内側に押し込み、図１に示すように、両側面体５Ａ・５Ｂを直線状に伸ばし、正面体２と底面体３と両側面体５Ａ・５Ｂとにより、略三角形状の空間を形成するように容器１を立体的に組み上げる。そして、空間の開放部からサンドイッチＳを収納し、図３に示すように、折り目３０を山折りにした平面体４によりこの空間を閉じるのである。このとき、背面体４の差し込み片１０を、正面体２の切り込み１１に差し込んで、正面体２と背面体４の接合状態を確実に維持している。
【００３１】
尚、容器１の取っ手７を手で持ったときは、サンドイッチＳをつぶすことなく、容器１を手軽に持ち運ぶことができる。また、図４に示すように、容器１の取っ手７に、陳列棚等に設けられている棒部材１４を貫通させたときには、容器１を所定の陳列棚等に簡単に吊り下げて展示できる。
【産業上の利用可能性】
【００３２】
本考案に係る容器１を使用すれば、サンドイッチＳを簡単に収納できるが、これに限らず、例えば、三角形状のケースを収納することも可能である。従って、ケース内にアクセサリー等を入れることで、サンドイッチＳ以外のものも簡単に収納できることとなる。
【図面の簡単な説明】
【００３３】
【図１】立体的に組み上げた容器内へサンドイッチを収納する状態を示した斜視図である。
【図２】容器の正面体と背面体を接合する状態を示した斜視図である。
【図３】容器の正面体と平面体を接合させ、背面体の差し込み片を正面体の切り込みに差し込んだ状態の斜視図である。
【図４】サンドイッチを収納している容器を、陳列棚等の棒部材に吊り下げて展示している状態の斜視図である。
【図５】容器を折り畳んだ状態の平面図である。
【図６】容器を折り畳んだ状態の裏面図である。
【符号の説明】
【００３４】
Ｓ…サンドイッチ
１…容器                        ２…正面体
３…底面体                      ４…背面体
５Ａ…側面体                    ５Ｂ…側面体
６…当接片                      ７…取っ手
８…掛架片                      ９…掛架片
１０…差し込み片                １１…切り込み
１２…切り抜き片                １３…窓部
１４…棒部材                    ２０…折り目
３０…折り目                    ４０…折り目
５０…折り目                    ６０…折り目
７０…折り目
【図１】
0003101409.tif 000003
【図２】
0003101409.tif 000004
【図３】
0003101409.tif 000005
【図４】
0003101409.tif 000006
【図５】
0003101409.tif 000007
【図６】
0003101409.tif 000008